(57)【要約】【課題】操作性が良くきめ細かな泡の層を液面に形成させる発泡性飲料用のピッチャーを提供する。【解決手段】ピッチャー１は、発泡性飲料を入れる収容部を確定する容器１０と、前記容器に形成された注ぎ口１５と、を備え、前記注ぎ口が前記容器の周壁に対して斜めに伸びる傾斜面により確定され、前記注ぎ口の高さが前記収容部の深さの２0％ないし４０％であることを特徴とする。【選択図】図３
2008022989.tif 000002
【特許請求の範囲】
【請求項１】
ピッチャーにおいて、
発泡性飲料を入れる収容部を確定する容器と、
前記容器に形成された注ぎ口と、を備え、
前記注ぎ口が前記容器の周壁に対して斜め上方に伸びる傾斜面により確定され、前記注ぎ口の高さが前記収容部の深さの２0％ないし４０％であることを特徴とするピッチャー。
【請求項２】
請求項１に記載のピッチャーにおいて、前記注ぎ口の横断面形状が略Ｖ字形状であるピッチャー。
【請求項３】
請求項１又は２に記載のピッチャーにおいて、更に、前記容器の外側に前記容器の周壁及び底壁との間で断熱空間を形成するように、固定された他の容器を備えるピッチャー。
【請求項４】
注ぎ口付きピッチャーに取り付けて使用するピッチャーカバーにおいて、
前記注ぎ口の先端部を除く一部を被う第１の部分及び前記第１の部分に隣接していて前記ピッチャーの上部開口部の少なくとも一部を被う第２の部分とを備え、
前記第１の部分には前記第１の部分に被われていない前記注ぎ口から流出する飲料の主流に注入可能に副流を形成する少なくとも一つの副流孔が形成されていることを特徴とするピッチャーカバー。
【請求項５】
請求項４に記載のピッチャーカバーにおいて、前記副流孔が２個であるピッチャーカバー。
【請求項６】
請求項４又は５に記載のピッチャーカバーにおいて、前記ピッチャーの前記開口部の周縁を囲むように周方向に伸びるスカート部を備え、前記第１及び第２の部分が前記スカート部に一体的に取り付けられているピッチャーカバー。
【請求項７】
請求項４ないし６のいずれかに記載のピッチャーカバーにおいて、前記第２の部分が前記開口部の少なくとも外周部分全体を被い得るピッチャーカバー。
【請求項８】
請求項７に記載のピッチャーカバーにおいて、前記第２の部分には、前記ピッチャーの開口部の中央部分に対応する位置に、前記スカート部の伸長する方向に湾曲状に突出する第１の突出部と、前記第１の突出部とは不連続で第１の突出部とは反対方向に突出する第２の突出部とが形成され、前記第１及び第２でカバーの取っ手部を構成しているピッチャーカバー。
【請求項９】
請求項１ないし３のいずれかに記載のピッチャーと、請求項４ないし８のいずれかに記載のピッチャーカバーとの組合せ。
【請求項１０】
ビールディスペンサーから請求項１ないし３のいずれかに記載の注ぎ口付きピッチャーに発泡性飲料を注ぐ方法において、
ビールディスペンサーから吐出された発泡性飲料を、前記ピッチャーの前記注ぎ口の傾斜面に当てるように注ぐことを特徴とするピッチャーへの発泡性飲料の注ぎ方法。
【発明の詳細な説明】
【技術分野】
【０００１】
本発明は、飲料用ピッチャー、そのピッチャーに取り付けて使用するピッチャーカバー、ピッチャーとピッチャーカバーとの組合せ、並びにピッチャーへの飲料の注ぎ方法に関し、更に詳細には、ピッチャーからビールジョッキやグラス等の容器に発泡性飲料を注いだとき、液面にきめ細かな泡の層を形成させるようにした、ビール、発泡酒等の発泡性を有する飲料（以下総称して発泡性飲料と呼ぶ）に使用するのに適したピッチャー及びピッチャーカバー、並びにピッチャーとピッチャーカバーとの組合せに関し、更にはそのようなピッチャーへの発泡性飲料の注ぎ方法に関する。
【背景技術】
【０００２】
従来、飲食店では、樽詰めされたビールを冷やしてから、ビールディスペンサーやビールサーバー（以下総称してビールディスペンサーと呼ぶ）を用いてビールジョッキに注ぎ込み、清涼感のあるビールを来店者に提供している。ビールを美味しく飲むには、ビールをビールジョッキ又はグラスに注いだ状態で、ビールにクリーミーできめ細かな泡の層が形成されていることが必要である。その理由は、（１）泡がビール中の炭酸ガス、味、香り等を逃がさない、（２）泡がビールの酸化を防ぐ蓋の役目をする、（３）泡が苦み成分を吸着するので口当たりがよく、爽快感を与える、等である。また、このクリーミーできめ細かな泡の層が消えにくい状態に保たれることも重要である。
樽詰めされたビールを、ビールジョッキ又はグラスに泡の層を適正に形成して注ぐには、熟練が必要であり、飲食店の担当者がビールディスペンサーを用い、ビールジョッキ又はグラスにビールを注いで、来店者に提供することが多い。ビールジョッキ又はグラスを略垂直にしてビールを注ぐと、ビールディスペンサーから吐出されたビールが、ビールジョッキ又はグラスに既に注がれたビールの液面をたたくため、いわゆる「カニ泡」と呼ばれる目の粗い、泡持ちの悪い泡がビールに形成されてしまう。したがって、いわゆる「カニ泡」の形成が抑制されるよう飲食店の前記担当者は、前記ビールディスペンサーのビール吐出ノズルに前記ビールジョッキ又はグラスを近づけ、ビールジョッキ又はグラスを略４５゜に傾け人為的にビールジョッキ又はグラスの傾斜状態を作り出し、前記ビール吐出ノズルからビールを注ぐ。
【０００３】
一方、ピッチャーと呼ばれる大型のジョッキ型容器に、樽詰めされたビールを２リットル程度注いだ状態で来店者に提供し、来店者自身にビールをビールジョッキ又はグラスに注いでもらう形態のサービスもある。
この場合、ピッチャーにビールを注ぐのは飲食店の店員であるものの、ピッチャーからビールジョッキ又はグラスにビールを注ぐのは一般の来店者であり、２リットル程度のビールが注がれて全体の重量が重くなったピッチャーでビールジョッキ又はグラス内にビールを注ぐのは、極めて操作性が悪く適正にビールが注がれない結果、ビールジョッキ又はグラス内に注がれたビールの液面に目の粗い、泡持ちの悪い泡の層が形成されるおそれがある。
【０００４】
また、ピッチャーを用いて来店者にビールを提供する形態のサービスでは、提供後、必ずしも来店者がすぐにビールジョッキ又はグラスにビールを注ぐわけではないので、ビールが温まるのを抑制するように保冷性が要求されると共に、ピッチャー内の泡がビールと共にジョッキ又はグラスに注がれてしまうのを防止することも要求される。
【０００５】
上記のように保冷性を有しかつ泡が外に流れ出るのを防止する（泡止めする）ピッチャーとして下記特許文献１に記載されたものがある。
しかしながら、この特許文献１に記載のピッチャーを含め従来のピッチャーでは、ピッチャーをビールディスペンサーの容器載置台の上に垂直の状態で置いたままその中にビールディスペンサーからビール等の発泡性飲料を注いだ場合に、液面にクリーミーできめ細かな泡の層を形成させることは困難であるため、そのピッチャーからジョッキ又はグラスにビールを注ぐ場合にもジョッキ又はグラスを傾けなければ液面にクリーミーできめ細かな泡の層を形成させることができない。
【０００６】
【特許文献１】実用新案登録３０２６８２４号公報
【０００７】
ビールが注がれたピッチャーを来店者に提供した後、必ずしも来店者がすぐにビールジョッキ又はグラスにビールを注ぐわけではないことを考慮すると、ビールをピッチャー内に注ぎ終わったとき、ビールにクリーミーできめ細かな泡の層が形成され、このクリーミーできめ細かな泡の層が消えにくい状態であることが望ましい。このためには、ビールディスペンサーからピッチャーにビールを注ぐ際に、飲食店の店員はビールディスペンサーのビール吐出ノズルにピッチャーを人為的に傾けて、傾斜したピッチャーの内面にビールを注ぐことが必要とされる。
ビールが注がれて全体の重量が重くなったピッチャーを片手で傾斜状態に支えて、もう一方の手でビールディスペンサーからピッチャー内にビールがピッチャーの内壁面に沿って流れるように注入するのは、労力を要しまた操作性が悪い。
【０００８】
このため、ピッチャーをビールディスペンサーの容器載置台の上に置いた状態でピッチャー内にビールが注がれることもあり、載置台上に置かれたピッチャー（通常、載置台上に置かれたピッチャーは載置台の面に対して垂直状態になっている）に、ビールディスペンサーからビールが注がれる結果、ビールディスペンサーから吐出されたビールが、垂直状態に置かれたピッチャーの底面をたたき、また、ピッチャー内に既に注がれたビールの液面をたたくように注がれるため、いわゆる「カニ泡」と呼ばれる目の粗い、泡持ちの悪い泡ができてしまう。
ビールの泡は、ビール中の炭酸ガスが抜け出たものであるので、ピッチャーにビールが注がれた状態で、多量の泡を形成すると、後でビールジョッキにビールを注いだ際に、気が抜けたビールになってしまう。
従来、ピッチャーにビールを注ぐ際の、泡の状態や量を考慮したピッチャーは存在しなかった。
【発明の開示】
【発明が解決しようとする課題】
【０００９】
本発明は、かかる従来のピッチャーの問題点に鑑み成されたものであって、その目的は、ビールディスペンサーからの注ぎ操作が楽で、ビール中の炭酸ガスが、ビール中から過度に抜け出さないようにビールディスペンサーからビールを注ぎ入れることが可能な飲料用ピッチャーを提供することである。
本発明の他の目的は、ピッチャーからジョッキ又はグラスへの発泡性飲料を注いだときに液面にクリーミーできめ細かな泡の層を形成させることが可能なピッチャーカバーを提供することである。
本発明の別の目的は、上記ピッチャーとピッチャーカバーとの組合せを提供することである。
本発明の更に別の目的は、ピッチャーへの発泡性飲料の注ぎ方法を提供することである。
【課題を解決するための手段】
【００１０】
請求項１に記載の発明によれば、ピッチャーにおいて、
発泡性飲料を入れる収容部を確定する容器と、
前記容器に形成された注ぎ口と、を備え、
前記注ぎ口が前記容器の周壁に対して斜め上方に伸びる傾斜面により確定され、前記注ぎ口の高さが前記収容部の深さの２0％ないし４０％であることを特徴とするピッチャーが提供される。
注ぎ口の高さを上記の範囲にしたのは、２０％より小さくなると注ぎ口の傾斜面に当たるように飲料を注ぐのが難しくなりまたピッチャー内で形成される泡（発泡性飲料、例えばビールを保護する）の層厚が薄くなるためであり、４０％より大きくすると注がれる飲料が早期に液面をたたくようになるため、泡の層厚が厚くなり易いからである。
上記注ぎ口の高さ（又は長さ）は、好ましくは、前記収容部の深さの２５％ないし３５％であるとよい。その理由は、ピッチャーに注がれる発泡性飲料の流れをより的確に傾斜面に当てることができ、また発泡性飲料がピッチャー内に溜まってきたときに注がれる飲料が溜まっている飲料の液面をたたき始めるのを遅らせることができ、発泡性飲料の泡立ちをより少なく抑えることができるからである。
請求項２に記載の発明によれば、請求項１に記載のピッチャーにおいて、前記注ぎ口の横断面形状が略Ｖ字形状であるピッチャーが提供される。
請求項３に記載の発明によれば、請求項１又は２に記載のピッチャーにおいて、更に、前記容器の外側に前記容器の周壁及び底壁との間で断熱空間を形成するように、固定された他の容器を備えるピッチャーが提供される。
【００１１】
請求項４に記載の発明によれば、注ぎ口付きピッチャーに取り付けて使用するピッチャーカバーにおいて、
前記注ぎ口の先端部を除く一部を被う第１の部分及び前記第１の部分に隣接していて前記ピッチャーの上部開口部の少なくとも一部を被う第２の部分とを備え、
前記第１の部分には前記第１の部分に被われていない前記注ぎ口から流出する飲料の主流に注入可能に副流を形成する少なくとも一つの副流孔が形成されていることを特徴とするピッチャーカバーが提供される。
請求項５に記載の発明によれば、請求項４に記載のピッチャーカバーにおいて、前記副流孔が２個であるピッチャーカバーが提供される。
請求項６に記載の発明によれば、請求項４又は５に記載のピッチャーカバーにおいて、前記ピッチャーの前記開口部の周縁を囲むように周方向に伸びるスカート部を備え、前記第１及び第２の部分が前記スカート部に一体的に取り付けられているピッチャーカバーが提供される。
請求項７に記載の発明によれば、請求項４ないし６のいずれかに記載のピッチャーカバーにおいて、前記第２の部分が前記開口部の少なくとも外周部分全体を被い得るピッチャーカバーが提供される。
請求項８に記載の発明によれば、請求項７に記載のピッチャーカバーにおいて、前記第２の部分には、前記ピッチャーの開口部の中央部分に対応する位置に、前記スカート部の伸長する方向に湾曲状に突出する第１の突出部と、前記第１の突出部とは不連続で第１の突出部とは反対方向に突出する第２の突出部とが形成され、前記第１及び第２でカバーの取っ手部を構成しているピッチャーカバー。
【００１２】
請求項９に記載の発明によれば、請求項１ないし３のいずれかに記載のピッチャーと、請求項４ないし８のいずれかに記載のピッチャーカバーとの組合せが提供される。
請求項１０に記載の発明によれば、ビールディスペンサーから請求項１ないし５のいずれかに記載の注ぎ口付きピッチャーに発泡性飲料を注ぐ方法において、
ビールディスペンサーから吐出された発泡性飲料を、前記ピッチャーの前記注ぎ口の傾斜面に当てるように注ぐことを特徴とするピッチャーへの発泡性飲料の注ぎ方法が提供される。
発泡性飲料を注ぐ位置を上記のように限定したのは、ビール中の炭酸ガスが、ビール中から過度に抜け出さないようにビールディスペンサーからビールを注ぎ入れるためである。
上記発泡性飲料の注ぎ位置は、ビールが注ぎ口の傾斜面に当たるように注がれさえすればよい。
【発明の効果】
【００１３】
請求項１又は２のいずれかに記載の発明によれば、ビールディスペンサーからの発泡性飲料を注ぎ口の傾斜面に当てながら静かにピッチャー内に注ぎ入れることができるので、ピッチャーを手で斜めに保持した状態にしないで平坦面に置いたままでビールディスペンサーからその中に発泡性飲料を注いでも、注がれた発泡性飲料が、ピッチャーの底面やピッチャーに既に注がれた発泡性飲料の液面をたたくようにピッチャー内に注ぎ入れられることがないため、発泡性飲料中の炭酸ガスが、発泡性飲料中から過度に抜け出すことなく、ビールディスペンサーから発泡性飲料を注ぎ入れることができるという効果を奏することが可能である。
請求項３に記載の発明によれば、上記効果の他に、ピッチャー内の発泡性飲料が冷えた状態を長く維持できる効果を奏することができる。
請求項４ないし６のいずれかに記載の発明によれば、ピッチャーからジョッキ又はグラスに発泡性飲料を注いだときに、ジョッキ又はグラス等の器内に注がれた発泡性飲料の液面にクリーミーできめ細かな泡を適度の量発生させることができるという効果を奏することが可能である。
請求項７に記載の発明によれば、上記の効果の他に、ピッチャー内の発泡性飲料が冷えた状態を長く維持できる効果を奏することができる。
請求項８に記載の発明によれば、上記ピッチャーカバーの効果の他に、ピッチャーカバーを簡単かつ確実にピッチャーに着脱することができる効果を奏することが可能である。
請求項９に記載の発明によれば、ピッチャーを手で斜めに保持した状態にしないで平坦面に置いたままでビールディスペンサーからその中に発泡性飲料を注いでも、注がれた発泡性飲料が、ピッチャーの底面やピッチャーに既に注がれた発泡性飲料の液面をたたくようにピッチャー内に注ぎ入れられることがないため、発泡性飲料中の炭酸ガスが、発泡性飲料中から過度に抜け出すことなく、ビールディスペンサーから発泡性飲料を注ぎ入れることができ、かつピッチャーからジョッキ又はグラスに発泡性飲料を注いだときに、ジョッキ又はグラス内に注がれた発泡性飲料の液面にクリーミーできめ細かな泡の層を適度に形成させることができるという効果を奏することが可能である。
請求項１０に記載の発明によれば、ピッチャーを手で斜めに保持した状態にしないで平坦面に置いたままでビールディスペンサーからその中に発泡性飲料を注いでも、注がれた発泡性飲料が、ピッチャーの底面やピッチャーに既に注がれた発泡性飲料の液面をたたくようにピッチャー内に注ぎ入れられることがないため、発泡性飲料中の炭酸ガスが、発泡性飲料中から過度に抜け出すことなく、ビールディスペンサーから発泡性飲料を注ぎ入れることできる効果を奏することが可能である。
【発明を実施するための最良の形態】
【００１４】
以下、図面を参照して本発明の実施形態について説明する。
図１において、本発明のピッチャーの一実施形態と本発明のピッチャーカバーの一実施形態とが組み合わされた、本発明によるそれらの組合せの実施形態が斜視図で示され、また、図２ないし図５において、ピッチャーとピッチャーカバーとが組み合わされた状態で側面図又は断面図で示されている。
図１において、１はビール等の発泡性飲料を入れるのに適したピッチャー、３はピッチャー１の上端開口部に被せて使用するのに適したピッチャーカバーを示す。
図２ないし図５において、ピッチャー１は発泡性飲料が入れられる収容部を確定する内側容器部分（請求項中の容器に対応する）１０と、その内側容器部分１０の外側に配置されていて内側容器部分の周壁との間で断熱空間ｇを形成するようにして内側容器部分１０に固定された外側容器部分（請求項中の他の容器に対応する）２０とを有している。図２ないし図７において、内側容器部分１０は上広がりの略円錐状（テーパーの角度が小さい円錐状）の周壁１１と、その周壁と一体的に形成された底壁１２と、周壁の上端から下方に伸びるスカート部１３とによって構成され、スカート部１３は、後述する注ぎ口を除く部分の外周全体に亘って周方向に伸びている。底壁１２と周壁１１とは鈍角を成しており、それらは、好ましくは曲率半径２５ｍｍないし３０ｍｍの湾曲した接続部を介して接続されている。これは、発泡性飲料が周壁の内面を流れて底面に達するとき静かに底面上に達するようにするためである。周壁１１とスカート部１３とは周壁の上端部で一体的に接続され、その部分がピッチャーの上端縁１４を形成する。なお、周壁は上部と下部とが同じ円筒状でも良い。
【００１５】
内側容器部分の上端の一側部（図３及び７において左側）には注ぎ口１５が形成されている。注ぎ口１５は、周壁１１に対して傾斜して上方に伸びる二つの傾斜壁１６ａ及び１６ｂによって形成され、傾斜壁の先端縁すなわち上端縁１７ａ及び１７ｂは上記ピッチャーの上端縁１４が存在する面ｐ−ｐと同一平面上になるように、すなわち面一になるように形成されている。傾斜壁１６ａと１６ｂとは一体的に接合され、その接合部１８は面ｐ−ｐに関して角θを成して伸びている。この角度θは、６０度ないし８０度の範囲が好ましい。傾斜壁に形成された内側の傾斜面によって注ぎ口の形状が確定される。傾斜壁は面ｐ−ｐに平行な面で切断した形状がどの位置でも略Ｖ字状の形状を成すようにつくられている。内側容器部分の外周には係合凸部１９が形成されている。この係合凸部１９はスカート部１３がある部分ではそのスカート部の下端縁外周に、スカート部のない部分にはその位置に対応した位置で周壁１１又は注ぎ口の傾斜壁から外側に形成されている。係合凸部１９には後述する外側容器部分の上端縁を受ける係合凹部１９ａが全周に亘って形成されている。
注ぎ口１５の長さすなわち高さ（先端縁又は上端縁１７ａ、１７ｂから接合部１８が周壁に一体的に接合する位置までの高さ）ｈ１は、内側容器部分によって確定される収容部の高さ（すなわちピッチャーの深さ）ｈ２の２０％ないし４０％であることが好ましいが、この実施形態では略３０％の大きさになっている。注ぎ口の高さを上記の範囲にしたのは、２０％より小さくなると注ぎ口から飲料を注ぐのが難しくなりまたピッチャー内で形成される泡（発泡性飲料、例えばビールを保護する）の層厚が薄くなるためであり、４０％より大きくすると注がれる飲料が早期に液面をたたくようになるため、泡の層厚が厚くなり易いからである。
上記注ぎ口の高さ（又は長さ）は、より好ましくは、前記収容部の深さの２５％ないし３５％である。注ぎ口の先端縁部における（注ぎ口を形成する傾斜壁１６ａ、１６ｂの先端縁と内側容器部分１０の上端縁１４とが接続する部分における）注ぎ口の最大幅ｗ１は、３ｃｍないし１０ｃｍ（又は内側容器の上端縁の直径の２５％ないし８０％）であるのが好ましい。このように注ぎ口を従来のピッチャーの注ぎ口に比較して大きくしたのは、ビールディスペンサーからピッチャー内に発泡性飲料を注ぐのを、注ぎ口を介して行い、発泡性飲料が傾斜壁によって確定される注ぎ口の傾斜面に当たって静かにピッチャー内に流れるようにするためである。
【００１６】
図２ないし図５及び図１０において、外側容器部分２０は周壁２１とその周壁と一体的に形成された底壁２２とによって構成されている。周壁２１には公知のピッチャーと同様に取っ手２３が一体的に形成されている。周壁２１の上端縁には内側容器部分１０の係合凹部１９ａに嵌められる上端係合部２４が形成されている。内側容器部分１０と外側容器部分２０とはこれらの係合凹部１９ａ及び係合部２４の密な係合によりまた接着剤を使用して接合されている。内側容器部分１０と外側容器部分２０との間には、内側容器部分の全周に亘って断熱空間ｇが形成されており、外部の熱が外側容器部分から内側容器部分内の発泡性飲料に伝わるのを阻止する。
なお、内側容器部分及び外側容器部分は成型性、断熱性に優れた合成樹脂材料でそれぞれ一体成型され、係合凹部と係合凸部で互いに接合されている。
【００１７】
図２ないし図５、図８及び図９において、ピッチャーカバー３が示されている。このピッチャーカバー３は、図２ないし図５に示されるような状態でピッチャーの上部開口部を塞ぐような状態或いは被う状態でピッチャー１に取り付けられるようになっている。
ピッチャーカバー３はピッチャー１の注ぎ口１５の一部分（先端部１５ａを除く一部分）を被う第１の部分３１と、その第１の部分に隣接していて、ピッチャー１の上部開口部を少なくとも部分的に被う第２の部分３２とを有している。ピッチャーカバー３は、更に、ピッチャー１の上部外周を取り巻くスカート部３３を有している。この実施形態において、スカート部３３は注ぎ口１５がある部分を除いてピッチャーの上部開口部外周を取り巻くように円周方向に伸び、前記第１の部分及び第２の部分とピッチャーと同じ合成樹脂材料で一体的に形成されている。ピッチャーカバー３の第２の部分３２は、ピッチャー１の上部開口部全体を被う必要はないが、開口部を全体的に被うようにするのが好ましい。外部の熱が内側容器部分内の発泡性飲料に伝わりにくくするためである。
この実施形態において、第２の部分３２の外周部３４全体に亘ってスカート部３３が一体的に接合されている。第１の部分３１には、その先端縁３５に隣接した位置に、少なくとも一つ（この実施形態では２個）の副流孔３６が形成されている。この副流孔３６の大きさは直径３ｍｍないし８ｍｍであるのが好ましく、より好ましくは、４ｍｍないし７ｍｍである。この副流孔は、ピッチャーからジョッキ又はグラスに発泡性飲料を注ぐとき、注ぎ口の第１の部分により被われていない部分（注ぎ口１５の先端部１５ａであって第１の部分の先端縁３５とにより画成される三角状の部分）から流出した主流に副流孔から流出した副流を注入し、副流が主流に適度な刺激を与えつつ、発泡性飲料が注がれ、ジョッキ又はグラスに注がれた発泡性飲料の液面にクリーミーできめ細かな泡の層を形成させる。副流が主流に合流する限り、副流孔３６は３個以上でもよく、その形状も丸孔に限らず、三角、四角等の多角形孔、楕円孔、長円孔、その他あらゆる形状の孔でよい。注ぎ口１５の先端部１５ａの端縁１５ｂから、ピッチャーカバー３の先端縁３５までの距離Ｌ１は７．１ｍｍないし８．９ｍｍであるのが好ましく、より好ましくは、７．５ｍｍないし８．５ｍｍである。
【００１８】
第１の部分の先端縁３５から副流孔３６が形成されている部分にかけては、その部分の肉厚が、図９に示されるように、他の部分に比べて厚くなっていて、その第１の部分の側縁側の下面（注ぎ口に面する面）には注ぎ口の傾斜面と接して発泡性飲料が第１の部分と傾斜面との間から漏れ出るのを防止する突起３７が形成されている。
第２の部分の中央部（ピッチャーに取り付けられたときピッチャーの上部開口部の中央部に対応する部分）には、ピッチャーカバーの中心から見て第１の部分がある側とは反対の側に、下側すなわちスカート部３３が伸長する方向に湾曲状に突出する第１の突出部３２ａと、それとは反対側（ピッチャーカバーの中心から見て第１の部分のある側）に、第１の突出部とは反対方向すなわち上側に湾曲状に突出する第２の突出部３２ｂとが形成されている。第１及び第２の突出部が上下に食い違っていて対向する縁が互いに不連続で、ピッチャーカバーをピッチャーから取り外す時に複数の指をそれらの突出部により画成される空間内に入れて行い得るようになっている。すなわち二つの湾曲状の突出部は蓋の取っ手を構成する。なお３８は二つの突出部間に形成される隙間である。この隙間の大きさは、この隙間を介してピッチャー内に発泡性飲料を注げない程度にするのが好ましい。それは、ピッチャーカバーを付けたままでこの隙間を介して発泡性飲料をピッチャー内に注ぐと、注がれた飲料がピッチャー内に溜まった飲料の液面をたたくように注がれ、目の粗い、泡持ちの悪い泡の層を形成させるからである。
スカート部３３の下端部には内側に突出する凸部３９が周方向に隔てて複数個（この実施形態では３個）、形成されている。この凸部３９は周方向にわずかに伸びていて、スカート部の周方向に隔てて、三点でピッチャーカバーをピッチャーに固定保持できるようになっている。なお、ピッチャーカバーがピッチャー内の発泡性飲料、特にビール、発泡酒の酸化を抑制するので、発泡性飲料がピッチャー内に注ぎ終わった時点でその発泡性飲料の表面に泡の層がほとんど形成されていなくても良い。
【００１９】
次にビールディスペンサーの吐出ノズル等から例えばビールのような発泡性飲料をピッチャー１内に注入する場合を説明する。
ピッチャー１内に飲料を注ぎ入れる場合には、図１１に示されるようにピッチャーカバーをピッチャーの上部から外しておく。図１１に示されるように、例えばビールディスペンサーのビール吐出ノズル６の吐出口の直下に、台５等に載せて置く。このとき吐出口の真下にピッチャー１の注ぎ口１５が位置するように置く。
この状態で吐出ノズルの吐出口から発泡性飲料ｍを吐出すると、飲料の流れはピッチャー１の注ぎ口１５の傾斜面にあたってピッチャー内に入る。このため発泡性飲料の流れは注ぎ口からピッチャーの内面すなわち内側容器部分１０の内面に沿って底部に移動してそこに溜まる。したがって、ピッチャー内に溜まっている発泡性飲料の表面をたたくように注がれる場合に比較して、発泡性飲料中の炭酸ガスが発泡性飲料から過度に抜け出すことなくビールディスペンサーから発泡性飲料を注ぎ入れることができる。注ぎ部１５に発泡性飲料を注ぐ場合、発泡性飲料は、その略全体が注ぎ口の傾斜面に当っていれば良い。このようにして注ぐことにより、注がれた発泡性飲料の液面が傾斜面に対応する位置に達するまでは、注がれた飲料が液面をたたくことが抑制されるため、泡立ちが抑制された状態で注がれ、液面が傾斜面に対応する位置まで上昇したときに初めて液面をたたき始めて泡が発生するので、ピッチャーに所定量の発泡性飲料を注ぎ終えたときに、注がれた発泡性飲料の表面に泡を適度の量しか発生させず、ピッチャー内の発泡性飲料、例えばビール中の炭酸ガス、味、香りが逃げることが防止される。
【００２０】
次に、発泡性飲料が上記のようにして注入された本発明のピッチャー１からジョッキ又はグラスにその飲料を注ぐ場合について説明する。この場合、本発明のピッチャーとピッチャーカバーとの組合せすなわちピッチャーカバー付きピッチャー（以下カバー付きピッチャーと呼ぶ）により行う。
本発明のカバー付きピッチャーを用いればジョッキ又はグラス等の容器（以下総称して器と呼ぶ）７内に発泡性飲料を注ぐ場合器を予め手で斜めに支えておく必要はない。したがって、器は、図１２に示されるように、テーブル等の平面（通常ほぼ水平の面になっている）上に置いておく。この状態で図１２に示されるようにピッチャー１の注ぎ口から注ぎ部１５を通して発泡性飲料をジョッキ又はグラス等の器内に注ぐと、ピッチャーカバーの第１の部分で塞がれていない注ぎ口の部分から飲料の主流ｆ１が容器内に注がれる。それとほぼ同時に、副流孔から流出した飲料の副流ｆ２は主流に注入される。このとき容器内に注がれた発泡性飲料にはクリーミーできめ細かな泡が発生する。
【００２１】
次にビールディスペンサーからピッチャー内にビールを注ぐテストを行った結果を次の表１に示す。なお、このテストでの、ピッチャーの高さは２００ｍｍであり、ピッチャーの上縁からピッチャーの深さの３０％の高さとされた注ぎ口を有する。ビールディスペンサーの容器載置台からの吐出ノズルの吐出口までの高さは２５０ｍｍである。
【表１】
2008022989.tif 000003
上記表１において、１は本発明によるピッチャーに注ぎ口を介さずビールを注いだ場合、２ないし４は本発明によるピッチャーに注ぎ口を介してビールを注いだ場合であって、２は注ぐビールの流れの中心がピッチャーの上縁からピッチャーの深さの３％の位置になるように注いだ場合、３は流れの中心がピッチャーの上縁からピッチャーの深さの１５％の位置になるように注いだ場合、流れの中心がピッチャーの上縁からピッチャーの深さの２７％の位置になるように注いだ場合を表す。
上記表１から明らかなように、本発明のピッチャーにビールを注ぎ口を介して注いだ場合に比べて、注ぎ口を介さず注いだ場合のピッチャー内に入ったビールの重量（泡の上端がピッチャーの上縁に達するまで注いだ場合）がかなり少ない（７４．３％ないし７５．８％）ことが分かる。これは注ぎ口を介さずに注いだ場合ピッチャー内で発生する泡が多くなることを意味し、それだけ、ピッチャー内に注がれているビールからは炭酸ガスが多く抜け出してしまっていることを意味する。
【００２２】
また、本発明のピッチャーからビールジョッキにビールを注いだ場合であって、副流孔の位置、個数及び配列を変化させた場合の、ビールジョッキ内でビールの液面上に形成される泡の状態（高さ）を調べるテストを行った結果を次の表２に示す。このテストにおいて、図１３に示すように、Ｓは主流を形成する注ぎ口の面積を、Ｌ１はピッチャーの注ぎ口の端縁１５ｂからピッチャーカバーの先端縁３５間での距離を、Ａはピッチャーカバーの先端縁３５から副流孔の中心までの距離、Ｂは副流孔の中心間の距離を、Ｃは副流孔が３個の場合における外側の二つの副流孔間の距離を、Ｄは副流孔が３個でしかも３個が一直線上に並んでいない場合における先端縁３５から中間の副流孔の中心までの距離を、φは副流孔の直径を、それぞれ示す。なお主流の注ぎ口の面積Ｓは８．０ｍｍで統一されている。
またビールジョッキに対するピッチャーの高さは、図１２のＨが２５ｍｍである。
【表２】
2008022989.tif 000004
上記表２において３孔の（３−７）の欄は、図１３（Ｂ）に示されるように３個の副流孔が一直線上に並んで配置されている場合で、３孔の（３−８）の欄は、図１３（Ｃ）に示されるように３個の副流孔のうち中央の副流孔がピッチャーカバーの先端縁側に片寄って配置されている場合を示す。
表２から解るように、（３−０）の寸法、個数を有するピッチャーカバーを用いて注いだビールより、（３−１）の寸法、個数を有するピッチャーカバーを用いて注いだビールの方がきめ細かな泡が発生し、ビールを飲用した際の口当たりが良いことが判明した。
【００２３】
更に、本発明のピッチャーカバーを本発明のピッチャーに取り付けて、そのピッチャーからビールジョッキにビールを注いだときの泡の状態を調べるテスト結果を示すと表３のようになる。
【表３】
2008022989.tif 000005
上記表３において３孔の（３−７）の欄は、図１３（Ｂ）に示されるように３個の副流孔が一直線上に並んで配置されている場合で、３孔の（３−８）の欄は、図１３（Ｃ）に示されるように３個の副流孔のうち中央の副流孔がピッチャーカバーの先端縁側に片寄って配置されている場合を示す。
上記表２及び３のテスト結果によれば、副流孔を設けることでビールジョッキにビールを注いだ状態で液面に泡が生じていることが分かる。一方、実施例５，６との比較により、液面に泡が形成されるには、ビールディスペンサーからビールピッチャーにビールを注いだ後に、炭酸ガスが抜けていない方が良いことも分かる。
【００２４】
更にまた、ビールジョッキに注ぎ終わったビールについて官能評価（口当たり評価）のテストを行った結果を次の表４に示す。
【表４】
2008022989.tif 000006
上記表４において３孔の（３−７）の欄は、図１３（Ｂ）に示されるように３個の副流孔が一直線上に並んで配置されている場合で、３孔の（３−８）の欄は、図１３（Ｃ）に示されるように３個の副流孔のうち中央の副流孔がピッチャーカバーの先端縁側に片寄って配置されている場合を示す。
このテスト結果によれば、副流孔を設けることでビールジョッキにビールを注いだ状態で泡が生じ、この泡が苦味成分を吸着することから、口当たりの際、苦味を感じなくなることが分かる。
一方、実施例５，６との比較により、液面に形成される泡がきめ細かである実施例１０の方が、苦味を感じない結果となっており、ビールディスペンサーからビールピッチャーにビールを注いだ後に、炭酸ガスが抜けない方がビールジョッキに注いだビールの口当たりが良いことが分かる。
【産業上の利用可能性】
【００２５】
ビール用のピッチャーに利用できる。  
【図面の簡単な説明】
【００２６】
【図１】本発明によるピッチャー及びピッチャーカバーの組合せの一実施形態の斜視図である。
【図２】本発明によるピッチャー及びピッチャーカバーの組合せの一実施形態の立背面図である。
【図３】図２の線Ａ−Ａに沿って見た断面図である。
【図４】本発明によるピッチャー及びピッチャーカバーの組合せの一実施形態の立側面図である。
【図５】図４の線Ｂ−Ｂに沿って見た断面図である。
【図６】図２のピッチャーの内側容器部分の縦断面図である。
【図７】図２のピッチャーの内側容器部分の縦断面図であって図６と９０度角度を変えて見た断面図である。
【図８】ピッチャーカバー付きピッチャーの上平面図である。
【図９】図８の線Ｄ−Ｄに沿って見た拡大断面図である。
【図１０】図３のＣの部分の拡大断面図である。
【図１１】本実施例のピッチャーに発泡性飲料を注ぐ状態を示す図である。
【図１２】本実施例のピッチャーからジョッキ内に発泡性飲料を注ぐ状態を示す図である。
【図１３】ピッチャーカバーにより画成される主流の注ぎ口及び副流孔の配置、寸法及び個数等を示す図である。
【符号の説明】
【００２７】
１  ピッチャー
１０  内側容器部分                    １１  周壁
１２  底壁                            １３  スカート部
１４  上端縁                          １５  注ぎ口
１６ａ、１６ｂ  傾斜壁                １７ａ、１７ｂ  上端縁
１８  接合部                          １９  凸部
２０  外側容器部分                    ２１  周壁
３  ピッチャーカバー
３１  第１の部分                      ３２  第２の部分
３３  スカート部                      ３６  副流孔
【図１】
2008022989.tif 000007
【図２】
2008022989.tif 000008
【図３】
2008022989.tif 000009
【図４】
2008022989.tif 000010
【図５】
2008022989.tif 000011
【図６】
2008022989.tif 000012
【図７】
2008022989.tif 000013
【図８】
2008022989.tif 000014
【図９】
2008022989.tif 000015
【図１０】
2008022989.tif 000016
【図１１】
2008022989.tif 000017
【図１２】
2008022989.tif 000018
【図１３】
2008022989.tif 000019